(57)【要約】【課題】従来の光ピックアップ装置では、例えばディスク着脱時等でディスクが光ピックアップ装置に接触することがあり、光ピックアップ装置上の鋭角部とうに接触して傷が生じることがあった。【解決手段】キャリッジに支持され光学部材を含む光ピックアップ装置であって、前記光ピックアップ装置はディスク側に突出した少なくとも一つの突出部を有し、前記突出部の先端は前記光ピックアップ装置の他の部分よりもディスク装着側に突出した構成とした。これによって、ディスクが光ピックアップ装置に接触したとしても、突出部が優先的に接触することによって光ピックアップ装置上の他の鋭角部などディスクに傷を付け易い部分にディスクが接触することを防ぐことが出来る【選択図】  なし【特許請求の範囲】
【請求項１】
キャリッジに支持された光学部材を含む光ピックアップ装置であって、前記光ピックアップ装置はディスク側に突出した少なくとも一つの突出部を有し、前記突出部の先端は前記光ピックアップ装置の他の部分よりもディスク装着側に突出したことを特徴とする光ピックアップ装置。
【請求項２】
突出部はキャリッジ自体に設けられたことを特徴とする請求項１記載の光ピックアップ装置。
【請求項３】
突出部はキャリッジに固定された別部材に設けられたことを特徴とする請求項１記載の光ピックアップ装置。
【請求項４】
突出部は、キャリッジに固定され前記キャリッジとディスク間に設けられたカバーの縁部近傍に設けられたことを特徴とする請求項２及び請求項３記載の光ピックアップ装置。
【請求項５】
突出部は前記突出部を設けた部材とは別体に別材質で構成され、前記別材質は樹脂材質であることを特徴とする請求項１記載の光ピックアップ装置。
【請求項６】
突出部の先端近傍に樹脂材料を塗布したことを特徴とする請求項１記載の光ピックアップ装置。
【請求項７】
ベースと、前記ベースに支持されディスクを回転させる駆動手段と、前記ベースに支持されたシャフトと、前記シャフトに移動自在に支持された請求項１から請求項６のいずれか１記載の光ピックアップ装置を備えたことを特徴とする光ディスク装置。
【発明の詳細な説明】
【０００１】
【発明の属する技術分野】
本発明は、電子機器に搭載される光ディスク装置及びその光ディスク装置に搭載される光ピックアップ装置に関するものである。
【０００２】
【従来の技術】
図５は従来の技術の一実施の形態における光ディスク装置の外観図、図６は従来の技術の一実施の形態におけるピックアップモジュールの外観図である。
【０００３】
光ディスク装置１には筐体２及びトレイ３があり、図５は筐体２からトレイ３を引き出した状態を示している。トレイ３にはピックアップモジュール４が設けられている。ピックアップモジュール４には光学系を構成した光ピックアップ５とディスクを回転させるスピンドルモータ４ａが構成されている。スピンドルモータ４ａにはディスク装着部４ｂがあり、ディスクを装着し回転駆動させる。
【０００４】
トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。トレイ３にはディスク装着面９が設けられている。
【０００５】
ピックアップモジュール４のディスク装着面９側にはピックアップモジュールカバー１０が設けられており、ディスク装着面９とピックアップモジュールカバー１０は略同一面を形成している。また、ピックアップモジュールカバー１０には貫通孔１０ａが設けられており、貫通孔１０ａからはディスク装着面９側から見て光ピックアップ５の一部が露出している。この露出部分にはカバー１２が含まれており、カバー１２とピックアップモジュールカバー１０のディスクに対向する面は略同一面状にあるように構成されている。
【０００６】
ディスクをスピンドルモータ４ａのディスク装着部４ｂに装着した場合、ディスクの表面（光ピックアップ５に対向する面）とカバー１２の間隔は１ｍｍ程度あり、ディスク装着後においては両者が接触することはない。しかしながらディスク着脱の過程においてはディスクを傾けるため、ディスクの表面が、ピックアップモジュールカバー１０やカバー１２に接触する場合がある。それによってディスクの表面に傷が生じる場合がある。
【０００７】
ディスクと光ディスク装置や光ピックアップとの接触による傷の発生に対する対策の先行例としては、（特許文献１）、（特許文献２）等がある。
【０００８】
【特許文献１】
特開平０６−３０２０７８号公報
【特許文献２】
特開２００２−３３４４５９号公報
【０００９】
【発明が解決しようとする課題】
ディスクとピックアップモジュールカバー１０の接触によって、貫通孔１０ａの縁部のバリでディスクに傷が生じる場合がある。これについては貫通孔１０ａの打ち抜き加工後に面押し処理を行ってバリを除去することが可能で、これによって、ディスクに傷を付け難くすることが出来る。しかしながら、カバー１２については厚みが薄いことと形状が複雑であることから面押し処理が困難である。また仮に他の何らかの方法にてカバー１２の縁部に丸みを付ける処理をしていたとしても、厚みが薄いことから特に曲げ処理されている部分の縁部等ではディスクとの接触によってディスクに傷を付け易いという問題があった。
【００１０】
本発明は前記従来の課題を解決するもので、ディスクに傷を付け難い信頼性の高い光ピックアップ装置及び光ディスク装置を提供することを目的としている。
【００１１】
【課題を解決するための手段】
このような課題を解決するために本発明は、キャリッジに支持され光学部材を含む光ピックアップ装置であって、前記光ピックアップ装置はディスク側に突出した少なくとも一つの突出部を有し、前記突出部の先端は前記光ピックアップ装置の他の部分よりもディスク装着側に突出する構成とした。これによって、例えばディスク着脱時などにおいてディスクが光ピックアップ装置に接触したとしても、突出部が優先的に接触することによって光ピックアップ装置上の他の鋭角部などディスクに傷を付け易い部分にディスクが接触することを防ぐことが出来る。
【００１２】
【発明の実施の形態】
本発明の請求項１に記載の発明は、キャリッジに支持された光学部材を含む光ピックアップ装置であって、前記光ピックアップ装置はディスク側に突出した少なくとも一つの突出部を有し、前記突出部の先端は前記光ピックアップ装置の他の部分よりもディスク装着側に突出したことを特徴とする光ピックアップ装置で、光ピックアップ装置にディスクが接触してもディスクに傷を付け難い、信頼性の高い光ピックアップ装置を提供することが出来る。
【００１３】
本発明の請求項２に記載の発明は、突出部はキャリッジ自体に設けられたことを特徴とする請求項１記載の光ピックアップ装置によって、光ピックアップ装置にディスクが接触してもディスクに傷を付け難く、またその効果を効果的にかつ容易に得ることが出来る、信頼性の高い光ピックアップ装置を提供することが出来る。
【００１４】
本発明の請求項３に記載の発明は、突出部はキャリッジに固定された別部材に設けられたことを特徴とする請求項１記載の光ピックアップ装置によって、光ピックアップ装置にディスクが接触してもディスクに傷を付け難く、またその効果を効果的にかつ容易に得ることが出来る、信頼性の高い光ピックアップ装置を提供することが出来る。
【００１５】
本発明の請求項４に記載の発明は、突出部は、キャリッジに固定され前記キャリッジとディスク間に設けられたカバーの縁部近傍に設けられたことを特徴とする請求項２及び請求項３記載の光ピックアップ装置によって、光ピックアップ装置にディスクが接触してもディスクに傷を付け難く、またその効果をより効果的に得ることが出来る、信頼性の高い光ピックアップ装置を提供することが出来る。
【００１６】
本発明の請求項５に記載の発明は、突出部は前記突出部を設けた部材とは別体に別材質で構成され、前記別材質は樹脂材質であることを特徴とする請求項１記載の光ピックアップ装置によって、光ピックアップ装置にディスクが接触しても突起部の樹脂材質が接触するため、さらに効果的にディスクに傷が生じることを防止できる信頼性の高い光ピックアップ装置を提供することが出来る。
【００１７】
本発明の請求項６に記載の発明は、突出部の先端近傍に樹脂材料を塗布したことを特徴とする請求項１記載の光ピックアップ装置によって、光ピックアップ装置にディスクが接触しても突起部先端近傍の樹脂材料が接触するため、さらに容易にかつ効果的にディスクに傷が付くことを防止できる信頼性の高い光ピックアップ装置を提供することが出来る。
【００１８】
本発明の請求項７に記載の発明は、ベースと、前記ベースに支持されディスクを回転させる駆動手段と、前記ベースに支持されたシャフトと、前記シャフトに移動自在に支持された請求項１から請求項６のいずれか１記載の光ピックアップ装置を備えたことを特徴とする光ディスク装置によって、光ピックアップ装置にディスクが接触してもディスクに傷が付き難い、信頼性の高い光ディスク装置を提供することが出来る。
【００１９】
図１は本発明の一実施の形態における光ディスク装置の外観図、図２は本発明の一実施の形態における光ディスク装置のピックアップモジュールの外観図、図３は本発明の一実施の形態における光ディスク装置のピックアップモジュールの外観図で、ピックアップモジュールカバーを除去した図、図４は本発明の一実施の形態における光ディスク装置のキャリッジの外観図である。
【００２０】
光ディスク装置１には筐体２及びトレイ３があり、図１は筐体２からトレイ３を引き出した状態を示している。トレイ３にはピックアップモジュール４が設けられている。ピックアップモジュール４には光学系を構成した光ピックアップ５とディスクを回転させるスピンドルモータ４ａが構成されている。スピンドルモータ４ａにはディスク装着部４ｂがあり、ディスクを装着し回転駆動させる。
【００２１】
トレイ３の両側部にはレール部６があり、両側部共にレール７とディスク引き出し方向に摺動自在に嵌合している。また、レール７は筐体２両側部内面に設けられたレールガイド８ともディスク引き出し方向に摺動自在に嵌合しており、トレイ３は筐体２からディスクが着脱できるよう引き出すことが出来る。トレイ３にはディスク装着面９が設けられている。
【００２２】
図２において、ピックアップモジュール４のディスク装着面９側にはピックアップモジュールカバー１０が設けられており、ディスク装着面９とピックアップモジュールカバー１０のディスク側の面は略同一面上にある。また、ピックアップモジュールカバー１０には貫通孔１０ａが設けられており、スピンドルモータ４ａのディスク装着部４ｂがディスク装着側に突出している。
【００２３】
図３において、光ピックアップ５はフレームであるキャリッジ５ａ上に光学部材等を構成することによって形成されている。メインシャフト４ｃ、サブシャフト４ｄはベース４ｅに取り付けられ、キャリッジ５ａがスピンドルモータ４ａの半径方向に移動できるよう導く。またメインシャフト４ｃ、サブシャフト４ｄは、スピンドルモータ４ａの光ディスク装着部４ｂにあるディスクとの接触面４ｆとキャリッジ５ａの移動面が平行になるように配置決定されている。ベース４ｅはピックアップモジュール４の外形となるフレームであり、キャリッジ５ａが光ディスクの半径方向へ移動する全範囲においてスペースを形成し、キャリッジ５ａが光ディスクの最外周部へ移動した際においても接触しないように形状付けられている。制御回路を構成する回路基板（図示せず）はベース４ｅに隣接して設けられており、光ピックアップ５から引き出されたフレキシブルプリントケーブル１１の端部が結線されている。
【００２４】
次に、光ピックアップ５の構成について図を用いて詳細に説明する。
【００２５】
図４において、キャリッジ５ａには主に光ディスク上のデータを読み取るもしくは光ディスク上にデータの書き込みを行うことの少なくとも一方を行うための光学系が構成されており、全体として光ピックアップ５を形成している。５ｂ、５ｃは半導体レーザであり、半導体レーザ５ｂまたは５ｃから発せられたレーザ光はキャリッジ５ａに構成された各光学部材を経て、対物レンズ５ｄで収束しディスクに照射する。ディスクからの反射光は再び対物レンズ５ｄを通過し、キャリッジ５ａに構成された各光学部材を経て、センサ５ｅに収束する。対物レンズ５ｄはアクチュエータ５ｆ上に構成されている。アクチュエータ５ｆはダンパー５ｇを介してキャリッジ５ａに取り付けられている。また、アクチュエータ５ｆには、アクチュエータコイル５ｈが設けられている。レーザ光のディスク上の動きに対してアクチュエータコイル５ｈが動的に補正をかけてアクチュエータ５ｆを動かし、対物レンズ５ｄを動かして、レーザ光の位置を補正する。
【００２６】
５ｉ、５ｊはそれぞれキャリッジ５ａの一部をディスク装着側から覆うカバーである。カバー５ｉにはダンパー５ｇに支持されながら前後左右に移動可能なアクチュエータ５ｆとの衝突を避ける貫通孔５ｋが設けられており、カバー５ｊには半導体レーザ５ｃの放熱の為やキャリッジ５上の他部材との衝突を回避する等のために貫通孔群５ｌが設けられている。
【００２７】
カバー５ｉは、アクチュエータ５ｆが駆動されていない状態においては、光ピックアップ５において突起５ｎを除いては最もディスクに近接している。カバー５ｊの一部５ｍが、カバー５ｉと同一面上にあっても良い。また図２において、カバー５ｉもしくはカバー５ｉとカバー５ｊの一部５ｍは貫通孔１０ａを貫通しており、カバー５ｉもしくはカバー５ｉとカバー５ｊの一部５ｍの表面は、ピックアップモジュールカバー１０のディスクに対向する面と略同一面にあるよう構成されている。なお、貫通孔１０ａの形状は、少なくとも光ピックアップ５の全移動範囲においてピックアップモジュールカバー１０と光ピックアップ５の接触が無いように設定されている。また、貫通孔１０ａの縁部は打ち抜き加工後面押し処理を行ってバリが除去されており、仮にディスク着脱作業時においてディスクが接触してもピックアップモジュールカバー１０によってディスクに傷が付き難いように構成されている。
【００２８】
キャリッジ５ａのディスクに対向する面で貫通孔１０ａからディスク側に露出している部分には、ディスクに向かって突出した突起５ｎが１つもしくは複数個設けられている。突起５ｎは少なくともカバー５ｊの表面よりもディスク側に突出している。突起５ｎの形状は、ディスクと接触した際ディスクに傷が生じ難い様な形状や表面状況に設定されている。具体的には、略円錐状であっても略楕円錘であってもよく、先端部に平坦部を形成していても良い。また、略直方体状でも略台形状でも良い。いずれの場合にあっても、面取りなどで角形の部分を除いているのが望ましく、表面については微少突起をもたないなめらかな表面がより望ましい。
【００２９】
このような突起５ｎが設けられている場合、ディスク着脱の過程においてディスクが光ピックアップ５に接近した場合、優先的に突起５ｎがディスクに接触するため、光ピックアップ５上の他の鋭角部等ディスクに傷を付け易い部分がディスクに接触しにくい。具体的には縁部にバリを有するカバー５ｉやカバー５ｊの一部５ｍとの接触を回避することが出来る。突起５ｎについては上記のようにディスクに傷を付け難い形状や表面状況としている。よって、ディスクと光ピックアップ５の接触によりディスクに傷が生じることを低減できる。
【００３０】
突起５ｎの高さは、カバー５ｉもしくはカバー５ｊの縁部近傍で０．２ｍｍ程度以下の反りが量産時には生じることを考慮して、カバー５ｉの主たる表面位置よりも０．３ｍｍ以上突出していることが望ましく、０．３ｍｍ〜０．６ｍｍ突出していることがより望ましい。
【００３１】
突起５ｎを設ける位置は、ピックアップモジュールカバー１０との接触が回避でき、かつカバー５ｉもしくはカバー５ｊの一部５ｍの縁部近傍であることが効果的である。さらに、カバー５ｉの縁部近傍に略等間隔に配置されるとより効果的である。
【００３２】
突起５ｎはキャリッジ５ａに一体であっても別体であっても良い。キャリッジ５ａに一体の場合、キャリッジ５ａ成型時に併せて形成が可能であるため、極めて容易に突起５ｎを設けることが出来る。また、キャリッジ５ａに別体である場合、突起５ｎをよりディスクに傷を付け難い材料、例えば樹脂材料とすることによって、さらにディスクに傷が付き難い構成となる。突起５ｎは接着やキャリッジ５ａに設けた凹部との嵌合、凹部への圧入等によって取り付け可能である。
【００３３】
また突起５ｎは、キャリッジ５ａに固定された他の部材に設けても良い。具体的にはカバー５ｉもしくはカバー５ｊの一部５ｍ上に構成しても良い。この場合、突起５ｎはカバー５ｉもしくはカバー５ｊに一体であっても別体であっても良い。カバー５ｉもしくはカバー５ｊに一体の場合、カバー５ｉもしくはカバー５ｊのプレス成型時に併せて形成が可能であるため、極めて容易に突起５ｎを形成することが出来る。また、一般的にキャリッジ５ａは金属ダイカスト成型品であり成型時のままでは若干の表面荒さは避けられないのに対し、カバー５ｉもしくはカバー５ｊは金属板材のプレス成形であるため、よりなめらかな表面の突起を容易に得ることが出来る。カバー５ｉもしくはカバー５ｊに別体の場合は、突起５ｎをよりディスクに傷を付け難い材料、例えば樹脂材料とすることによって、さらにディスクに傷が付き難い構成となる。突起５ｎは接着等によって取り付け可能である。また突起５ｎの形状及び高さについては、キャリッジ５ａに設けた場合と同等で良い。配置についても同等で、カバー５ｉもしくはカバー５ｊの一部５ｍの縁部近傍であることが効果的であり、カバー５ｉの縁部近傍に略等間隔に配置されるとより効果的である。
【００３４】
また、いずれの場合においても突起５ｎの少なくとも先端近傍に樹脂を塗布することで容易に突起５ｎによりディスクに傷を付け難い層を形成することが出来る。塗布する樹脂としては例えば紫外線硬化樹脂が作業性の面で優れている。
【００３５】
また、キャリッジ５ａまたはキャリッジ５ａに固定された他の部材に突起５ｎを形成する方法として、粘性が高い液体状でかつ容易に硬化する樹脂もしくは接着剤等を滴下し、突起状の形状で硬化させることで形成することも、ディスクに傷を付け難く形成が容易な点で有効である。
【００３６】
【発明の効果】
以上のように本発明は、キャリッジに支持され光学部材を含む光ピックアップ装置であって、前記光ピックアップ装置はディスク側に突出した少なくとも一つの突出部を有し、前記突出部の先端は前記光ピックアップ装置の他の部分よりもディスク装着側に突出する構成とした。これによって、例えばディスク着脱時などにおいてディスクが光ピックアップ装置に接触したとしても、突出部が優先的に接触することによって光ピックアップ装置上の他の鋭角部などディスクに傷を付け易い部分にディスクが接触することを防ぐことが出来る。したがって、従来よりも光ピックアップ装置にディスクが接触してもディスクに傷が生じ難い、信頼性の高い光ピックアップ装置および光ディスク装置を提供することが出来る。
【図面の簡単な説明】
【図１】本発明の一実施の形態における光ディスク装置の外観図
【図２】本発明の一実施の形態における光ディスク装置のピックアップモジュールの外観図
【図３】本発明の一実施の形態における光ディスク装置のピックアップモジュールの外観図で、ピックアップモジュールカバーを除去した図
【図４】本発明の一実施の形態における光ディスク装置のキャリッジの外観図
【図５】従来の技術の一実施の形態における光ディスク装置の外観図
【図６】従来の技術の一実施の形態におけるピックアップモジュールの外観図
【符号の説明】
１  光ディスク装置
２  筐体
３  トレイ
４  ピックアップモジュール
４ａ  スピンドルモータ
４ｂ  ディスク装着部
４ｃ  メインシャフト
４ｄ  サブシャフト
４ｅ  ベース
４ｆ  ディスクとの接触面
５  光ピックアップ
５ａ  キャリッジ
５ｂ、５ｃ  半導体レーザ
５ｄ  対物レンズ
５ｅ  センサ
５ｆ  アクチュエータ
５ｇ  ダンパー
５ｈ  アクチュエータコイル
５ｉ、５ｊ  カバー
５ｋ  貫通孔
５ｌ  貫通孔
５ｍ  カバー５ｊの一部
５ｎ  突起
６  レール部
７  レール
８  レールガイド
９  ディスク装着面
１０  ピックアップモジュールカバー
１０ａ  貫通孔
１１  フレキシブルプリントケーブル
１２  カバー
【図１】
2005025843.tif 000002
【図２】
2005025843.tif 000003
【図３】
2005025843.tif 000004
【図４】
2005025843.tif 000005
【図５】
2005025843.tif 000006
【図６】
2005025843.tif 000007